(57)【要約】【課題】ホースの突出を抑制し、手摺りの上方に設けられたシャワー装置の使い勝手が良い浴室ユニットを提供する。【解決手段】浴室ユニット１００は、浴槽１および洗い場床６０を囲む壁面７２ａに配設されるシャワー装置２と、壁面７２ａに沿って横方向に延びる手摺り４とを備える。シャワー装置２は、手摺り４の一端部の上方に掛け止められるシャワーヘッド２１、およびシャワーヘッド２１に接続されて垂下するホース２２を有する。浴室ユニット１００は、手摺り４の前記一端部から壁面７２ａへ延びており、ホース２２を手摺り４の他端部側と反対側に位置するように規制する規制部材としてのブラケット４６を備える。【選択図】図１
2020031998.tif 000002
【特許請求の範囲】
【請求項１】
浴槽および洗い場床を囲む壁面に配設されるシャワー装置と、前記壁面に沿って横方向に延びる手摺りと、を備える浴室ユニットにおいて、
前記シャワー装置は、前記手摺りの一端部の上方に掛け止められるシャワーヘッド、および前記シャワーヘッドに接続されて垂下するホースを有し、
前記一端部から前記壁面へ延びており、前記ホースを前記手摺りの他端部側と反対側に位置するように規制する規制部材と、
を備えることを特徴とする浴室ユニット。
【請求項２】
前記手摺りは、前記一端部と前記壁面との離間距離が大きくなるように湾曲していることを特徴とする請求項１に記載の浴室ユニット。
【請求項３】
前記規制部材は、前記一端部を支持する支持部材であることを特徴とする請求項１または２に記載の浴室ユニット。
【発明の詳細な説明】
【技術分野】
【０００１】
本発明は、浴室ユニットに関する。
【背景技術】
【０００２】
浴室ユニットは、湯を溜める浴槽と、浴槽に隣接して配設された洗い場床を有する。浴室ユニットは、周囲を壁部、上方を天井で覆われている。浴室ユニット内には、シャワー装置や給水装置、カウンター、手摺りなどが設けられ、ユーザがより快適に浴室ユニットを利用するための工夫がなされている。例えば、特許文献１には、浴槽と洗い場床を備え、浴槽と洗い場床に跨がって設置された壁パネルの略全幅に亘って手摺りが設けられた浴室ユニットが開示されている。この浴室ユニットには手摺りの上方にシャワー装置が設けられており、該シャワー装置のシャワーヘッドに接続されたホースが手摺りの前に垂れ下がるように配設されている。
【先行技術文献】
【特許文献】
【０００３】
【特許文献１】特開２０１６−０９４７２６号公報
【発明の概要】
【発明が解決しようとする課題】
【０００４】
特許文献１に記載の浴室ユニットでは、シャワー装置のホースが手摺りの前に垂れ下がっており、とりわけシャワーヘッドが下方の位置に掛け止められたときに、ホースが洗い場床側に大きく突出してくる可能性がある。ホースが洗い場床側に突出してくると、洗い場床において身体を洗うユーザの動作の邪魔になるため、シャワー装置の使い勝手が良くないという蓋然性があった。
【０００５】
ところで、シャワー装置のホースを手摺りの後ろ側に配設することも考え得る。しかしながら、その場合には、シャワーヘッドを壁際から取り外し洗い場床や浴槽の中央部で使用する際に、壁パネルの略全幅に亘って設けられた手摺りにホースが引っ掛かってしまう。
【０００６】
本発明は、斯かる事情に鑑みてなされたものであり、その目的とするところは、ホースの突出を抑制し、手摺りの上方に設けられたシャワー装置の使い勝手が良い浴室ユニットを提供することにある。
【課題を解決するための手段】
【０００７】
本発明に係る浴室ユニットは、浴槽および洗い場床を囲む壁面に配設されるシャワー装置と、前記壁面に沿って横方向に延びる手摺りと、を備える浴室ユニットにおいて、前記シャワー装置は、前記手摺りの一端部の上方に掛け止められるシャワーヘッド、および前記シャワーヘッドに接続されて垂下するホースを有し、前記一端部から前記壁面へ延びており、前記ホースを前記手摺りの他端部側と反対側に位置するように規制する規制部材と、を備えることを特徴とする浴室ユニット。
【発明の効果】
【０００８】
本発明によれば、ホースの突出を抑制し、手摺りの上方に設けられたシャワー装置の使い勝手が良い。
【図面の簡単な説明】
【０００９】
【図１】本発明の実施形態１に係る浴室ユニットの外観を示す斜視図である。
【図２】浴室ユニットの縦断面図である。
【図３】浴室ユニットの図２のＡ−Ａ線による断面図である。
【図４】シャワー装置および手摺りの外観を示す斜視図である。
【図５】手摺りの端部を拡大した平面図である。
【図６】図６（ａ）および図６（ｂ）はシャワー装置の使用状態を説明するための模式図である。
【図７】図７（ａ）〜図７（ｃ）は手摺りおよびブラケット部分の変形例を示す図３の断面図に相当する模式図である。
【図８】実施形態２に係るシャワー装置および手摺りの外観を示す斜視図である。
【図９】図９（ａ）および図９（ｂ）はシャワー装置の使用状態を説明するための模式図である。
【図１０】変形例に係るシャワー装置および手摺りを示す図３の断面図に相当する模式図である。
【発明を実施するための形態】
【００１０】
以下、本発明を好適な実施の形態をもとに図１から図１０を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
（実施形態１）
図１は本発明の実施形態１に係る浴室ユニット１００の外観を示す斜視図、図２は浴室ユニット１００の縦断面図、図３は浴室ユニット１００の図２のＡ−Ａ線による断面図である。尚、図１においては浴室ユニット１００の手前側の壁パネルを省略した。浴室ユニット１００は、浴槽１、シャワー装置２、給水装置３、手摺り４、洗い場床６０および壁部７０等を有する。浴槽１は、平面視矩形状をなし、湯を溜めることができる深皿状である。浴槽１の側方には、浴槽１に隣接して洗い場床６０が設けられている。浴槽１および洗い場床６０は、壁部７０によって周囲が覆われ、上方を天井７６によって覆われている。
【００１２】
壁部７０は、壁部７１，７２，７３および７４を有し、例えば石膏板や樹脂板と、鋼板とを貼り合わせたパネル材などを素材として構成される（図３参照）。壁部７１は、浴槽１における洗い場床６０と反対側の側辺に設けられている。壁部７２および壁部７３は、それぞれ壁部７１の横方向の両端部に連続して壁部７１に直交するように設けられており、浴槽１および洗い場床６０に跨って設けられており、互いに対向している。壁部７４は、洗い場床６０における浴槽１と反対側の側辺に設けられており、壁部７１に対向している。浴室ユニット１００への出入口は、洗い場床６０の側辺に接する、例えば壁部７３または壁部７４に設けられる。浴槽１および洗い場床６０は、壁部７１，７２，７３および７４それぞれの浴室ユニット１００内部を臨む壁面７１ａ，７２ａ，７３ａおよび７４ａによって囲まれている。
【００１３】
図１に示す壁部７１は、開口を有しており、引違い戸などの扉体や、固定の窓などを設けるが、開口を有していなくてもよい。壁部７２の壁面７２ａには、シャワー装置２、給水装置３および手摺り４が配設されている。シャワー装置２は、壁面７２ａの洗い場床６０側における浴槽１と反対側の端部に設けられている。給水装置３は、壁面７２ａの洗い場床６０側における横方向の中央部に設けられており、シャワー装置２へ給水し、吐出口（図示略）から吐水する。給水装置３は、シャワー装置２とホース２２ａで接続されるため、シャワー装置２と近い位置に設けることが好ましい。
【００１４】
シャワー装置２は、シャワーヘッド２１、ホース２２、スライドバー２３および浄水部２４を備え、壁面７２ａの横方向における洗い場床６０側のコーナー部に設けられている。シャワーヘッド２１は、多数の小孔からなる吐水口が設けられており、ホース２２を介して供給される水を吐出する。ホース２２はシャワーヘッド２１と浄水部２４とを接続しており、ホース２２ａは浄水部２４と給水装置３とを接続する。スライドバー２３は、壁面７２ａの高さ方向における中央部から上方へ延びる棒状である。スライドバー２３には、シャワーヘッド２１を掛け止めるフック２３ａが設けられている。フック２３ａは、スライドバー２３に摺動可能に支持されており、任意の高さ位置に保持される。浄水部２４は、スライドバー２３の下端に設けられており、ホース２２ａから供給された水をその内部で浄水してホース２２へと通水する。シャワー装置２は、スライドバー２３を設けずに、高さが異なる固定のフックが壁面７２ａに固定的に設けられていてもよい。給水装置３は、切替・水量調節および温度調節が可能としてあり、シャワー装置２および吐出口からの吐水の切替操作、水量および温度を調節する操作により機能する。
【００１５】
また、壁面７２ａには、鏡８１、カウンター８２および棚８３等が配設されている。鏡８１は、壁面７２ａの横方向における両端部に亘って設けられていてもよいし、洗い場床６０側または浴槽１側に設けられていてもよい。カウンター８２は、洗い場床６０側に設けられている。
【００１６】
シャワー装置２、給水装置３、手摺り４、鏡８１、カウンター８２および棚８３等は、ユーザの利便性を向上すべく浴室ユニット１００内の機能を付加するものであり、これらを纏めて機能部品と称する。これらの機能部品は、浴室ユニット１００内の壁面７２ａに配置することで、ユーザの動線が短くなり使い勝手が良くなる。このような機能部品が配置される壁面７２ａを浴室ユニット１００内の機能面と称し、壁部７２を構成するパネル体を機能パネルと称する。
【００１７】
各機能部品は、洗い場床６０に置いた椅子に座ったユーザが使い易いように、例えば、カウンター８２を低い位置に設け、給水装置３、手摺り４、鏡８１の順に高くなるように設ける。手摺り４の高さは、椅子に座ったユーザの手が届き、椅子から腰を上げて中腰または立ち上がった姿勢で降ろした手で掴まることができる高さとするとよい。シャワー装置２は、手摺り４の付近から上方の位置にシャワーヘッド２１を保持できるよう構成するとよい。また、棚８３は、手摺り４とほぼ同じ高さか、やや下方の高さに設けられる。
【００１８】
図４はシャワー装置２および手摺り４の外観を示す斜視図であり、図５は手摺り４の端部を拡大した平面図である。手摺り４は、棒状をなし、壁面７２ａの横方向における両端部に亘って設けられている。手摺り４は、軸線方向が壁面７２ａに沿って横方向に延びており、軸方向の複数箇所に設けられたブラケット４６によって支持されている。ブラケット４６は、一端部が手摺り４に、他端部が壁面７２ａに接続されて手摺り４を支持する。手摺り４は、壁面７２ａから離間して配設されている。
【００１９】
手摺り４は、浴槽１側の端部から洗い場床６０の中途部まで、壁面７２ａに平行に設けられ、壁面７２ａとの離間距離がほぼ一定となる第１部分４１を有する。また、手摺り４は、洗い場床６０の中途部から洗い場床６０側の端部まで、壁面７２ａからの離間距離が軸方向の位置、即ち壁面７２ａに沿う横方向の位置に応じて変化する第２部分４２を有する。第２部分４２は、洗い場床６０の浴槽１と反対のコーナー側において、壁面７２ａとの離間距離が大きく、さらに、洗い場床６０側の端部に向かうにつれて壁面７２ａとの離間距離が大きくなるように設けられている。第２部分４２は、洗い場床６０の浴槽１と反対側のコーナーに近づくにつれて、壁面７２ａとの離間距離が大きくなっている。第２部分４２は、洗い場床６０の中央に向かって凹状に湾曲した形状としてあるが、凸状に湾曲した形状であってもよいし、凹状および凸状の湾曲を組み合わせた形状であってもよい。
【００２０】
ブラケット４６は、棒状であり、手摺り４の第１部分４１に３箇所、第２部分４２に１箇所に設けられている。第２部分４２は、上述のように、壁面７２ａとの離間距離が大きく、洗い場床６０側の端部に向かうにつれて壁面７２ａとの離間距離が大きくなるように設けられており、壁面７２ａから離れるように壁面７２ａとの離間距離が変化する。このため、第２部分４２に荷重がかかったときに、手摺り４を支持する壁面７２ａに働くモーメントは、第１部分４１に荷重がかかる場合よりも、大きくなる。したがって、手摺り４を支持する複数のブラケット４６のうち、少なくとも１つのブラケット４６を第２部分４２に配設し、手摺り４の強度を確保するとともに、手摺り４の変形を抑制する。
【００２１】
図５に示すように、手摺り４の第２部分４２を支持するブラケット４６は、手摺り４の端から手摺り４の軸線方向における中央側へオフセットした位置に設けられており、手摺り４の端部が軸線方向にブラケット４６の側面４６ａから突出している。手摺り４の端部がブラケット４６の側面４６ａから突出する寸法は、例えば数ｃｍから１０ｃｍ程度とすると良い。ブラケット４６は、手摺り４の第２部分４２側の端部において、シャワー装置２のホース２２を第１部分４１側の端部と反対側に位置するように規制する規制部材として機能する。
【００２２】
次に実施形態１に係る浴室ユニット１００の動作について説明する。図６（ａ）および図６（ｂ）は、シャワー装置２の使用状態を説明するための模式図である。
【００２３】
ユーザは、洗い場床６０において、壁面７２ａ側を向いて椅子に座り、壁面７２ａに配設されたシャワー装置２および給水装置３等を使って身体を洗う。ユーザは、身体の姿勢を維持し、また姿勢を変える際に、手摺り４に手を伸ばして掴む。ユーザが手を伸ばして掴む手摺り４の位置は、ユーザの肩幅範囲の正面に位置する部分に限られず、肩幅より広い外側の位置であってもよい。ユーザが手摺り４の第２部分４２の方へ手を伸ばして手摺り４を掴む際に、手摺り４の第２部分４２は、壁面７２ａからの離間距離が大きくユーザに近い位置にあり、掴み易くなっている。このように、手摺り４は、軸方向の位置、即ち壁面７２ａ等に沿った横方向の位置に応じて壁面７２ａ等との離間距離が大きくなるように湾曲していることで、ユーザが手を伸ばして手摺り４に届き易くすることができ、利便性を向上することができる。
【００２４】
図６（ａ）では、シャワーヘッド２１をスライドバー２３の下端寄りに位置させている。この状態でシャワーヘッド２１に接続されるホース２２は、手摺り４の高さ位置において、ブラケット４６の側面４６ａの側方、かつ手摺り４の後方に位置させることができる。ブラケット４６は、手摺り４の第２部分４２から壁面７２ａに延びており、ホース２２が手摺り４の第１部分４１側へ移動することを防止し、ブラケット４６の側面４６ａの側方、即ち手摺り４の軸線方向における第２部分４２の端部側に位置するように規制する。
【００２５】
上述のように、手摺り４の端部が軸線方向にブラケット４６の側面４６ａから突出しているので、ホース２２は、手摺り４の高さ位置で手摺り４の前に突出しないように規制される。尚、ホース２２は自然に図６（ａ）に示す状態となることが好ましいが、少なくともユーザがホース２２を動かして、ブラケット４６の側面４６ａの側方、かつ手摺り４の後方に位置させることができれば良い。
【００２６】
ホース２２は、手摺り４の高さ位置の下方において、洗い場床６０の中央部側へ湾曲して突出してくる可能性がある。しかしながら、ホース２２は、手摺り４の高さ位置で手摺り４の前に突出しないようにブラケット４６の側面４６ａの側方に位置が規制されていることで、手摺り４の高さ位置の下方における突出量が抑制されることになる。またホース２２は、手摺り４の高さ位置付近からの下方において、壁面７４ａ側に湾曲するように設けることで、洗い場床６０の中央部方向への突出をより抑制することができる。
【００２７】
尚、図４に示すように、シャワーヘッド２１がスライドバー２３の上端寄りの位置に掛け止められている場合、ホース２２は、上方に引き上げられているため、洗い場床６０の中央側への突出は少ない。この場合、手摺り４の高さ位置において、ホース２２をブラケット４６の側面４６ａの側方に位置させなくても、ユーザの動作の邪魔にはなり難い。
【００２８】
また図６（ｂ）に示すように、シャワーヘッド２１をフック２３ａから取り外して使用する場合には、ホース２２は、ブラケット４６、および手摺り４の第２部分４２側の端部で規制されることなく自在に動く。これにより、シャワー装置２は、シャワーヘッド２１を壁面７２ａから遠い位置で使用することや、シャワーヘッド２１を左右や上下に振って使用することが容易となり、使い勝手が良くなる。
【００２９】
図７（ａ）〜図７（ｃ）は、手摺り４およびブラケット４６部分の変形例を示す図３の断面図に相当する模式図である。図７（ａ）に示す手摺り４は、壁面７２ａとの離間距離がほぼ一定であり、ブラケット４６が、手摺り４の洗い場床６０側の端から手摺り４の軸線方向における中央側へオフセットした位置に設けられ、手摺り４の端部が軸線方向にブラケット４６の側面４６ａから突出している。この変形例においても、シャワーヘッド２１に接続されるホース２２を、手摺り４の高さ位置において、ブラケット４６の側面４６ａの側方、かつ手摺り４の後方に位置させることができる。
【００３０】
図７（ｂ）に示す手摺り４には、手摺り４の第２部分４２側の端部から壁面７２ａへ延びるガード部材４７を設けている。ガード部材４７は、手摺り４の洗い場床６０側の端から手摺り４の軸線方向における中央側へオフセットした位置に設けられ、手摺り４の端部が軸線方向にガード部材４７から突出している。この変形例においても、シャワーヘッド２１に接続されるホース２２を、手摺り４の高さ位置において、ガード部材４７の側方（手摺り４の第２部分４２の端部側）、かつ手摺り４の後方に位置させることができる。
【００３１】
図７（ｃ）に示す手摺り４では、ガード部材４７が傾斜するように設けられている。ガード部材４７は、第２部分４２側の端部から壁面７２ａへ向かうにつれて、壁面７２ａの横方向における中央部へ近づくように傾斜している。この変形例においても、シャワーヘッド２１に接続されるホース２２を、手摺り４の高さ位置において、ガード部材４７の側方（手摺り４の第２部分４２の端部側）、かつ手摺り４の後方に位置させることができる。
【００３２】
（実施形態２）
図８は、実施形態２に係るシャワー装置２および手摺り４の外観を示す斜視図である。実施形態２に係るシャワー装置２では、シャワーヘッド２１に接続されたホース２２の給水側端部が給水装置３に接続されている。シャワーヘッド２１がスライドバー２３の上端寄りに掛け止められている場合、ホース２２は、上方に引き上げられているため、洗い場床６０の中央側への突出は少ない。
【００３３】
図９（ａ）および図９（ｂ）はシャワー装置２の使用状態を説明するための模式図である。図９（ａ）では、シャワーヘッド２１をスライドバー２３の下端寄りに位置させている。この状態でシャワーヘッド２１に接続されるホース２２は、手摺り４の高さ位置において、ブラケット４６の側面４６ａの側方、かつ手摺り４の後方に位置させることができる。
【００３４】
また、手摺り４の端部が軸線方向にブラケット４６の側面４６ａから突出していることで、ホース２２は、手摺り４の高さ位置で手摺り４の前に突出しないように規制される。尚、ホース２２は自然に図９（ａ）に示す状態となることが好ましいが、少なくともユーザがホース２２を動かして、ブラケット４６の側面４６ａの側方、かつ手摺り４の後方に位置させることができれば良い。
【００３５】
ホース２２は、手摺り４の高さ位置の下方において、洗い場床６０の中央部側へ湾曲して突出してくる可能性がある。しかしながら、ホース２２は、手摺り４の高さ位置で手摺り４の前に突出しないようにブラケット４６の側面４６ａの側方に位置が規制されていることで、手摺り４の高さ位置の下方における突出量が抑制されることになる。またホース２２は、手摺り４の高さ位置付近からの下方において、壁面７４ａ側に湾曲するよう設けることで、洗い場床６０の中央部方向への突出をより抑制することができる。
【００３６】
図９（ｂ）に示すように、シャワーヘッド２１をフック２３ａから取り外して使用する場合には、ホース２２は、ブラケット４６、および手摺り４の第２部分４２側の端部で規制されることなく自在に動く。これにより、シャワー装置２は、シャワーヘッド２１を壁面７２ａから遠い位置で使用することや、シャワーヘッド２１を左右や上下に振って使用することが容易となり、使い勝手が良くなる。
【００３７】
（変形例）
上述の実施形態および変形例では、シャワー装置２および手摺り４の第２部分４２を洗い場床６０の浴槽１と反対側のコーナーに設けたが、洗い場床６０の浴槽１側のコーナーに設けてもよい。図１０は、変形例に係るシャワー装置２および手摺り４を示す図３の断面図に相当する模式図である。図１０に示す手摺り４は、洗い場床６０の浴槽１側のコーナーに第２部分４２を有している。
【００３８】
洗い場床６０の浴槽１側のコーナーに設けられた第２部分４２は、洗い場床６０の浴槽１と反対側のコーナーに設けた第２部分４２と同様に、壁面７２ａからの離間距離が軸方向の位置、即ち壁面７２ａに沿う横方向の位置に応じて変化する。洗い場床６０の浴槽１側のコーナーに設けた第２部分４２は、洗い場床６０の浴槽１のコーナー側において、壁面７２ａとの離間距離が大きく、さらに、浴槽１側の端部に向かうにつれて壁面７２ａとの離間距離が大きくなるように設けられている。
【００３９】
また、洗い場床６０の浴槽１側のコーナーに設けた第２部分４２は、洗い場床６０の浴槽１側のコーナーに近づくにつれて、壁面７２ａとの離間距離が大きくなっている。第２部分４２は、洗い場床６０の中央に向かって凹状に湾曲した形状としてあるが、凸状に湾曲した形状であってもよいし、凹状および凸状の湾曲を組み合わせた形状であってもよい。
【００４０】
シャワー装置２は、壁面７２ａの横方向における中央部（浴槽１と洗い場床６０との境目など）に設けられており、洗い場床６０の浴槽１側のコーナーに設けた手摺り４の第２部分４２の上方に位置する。シャワー装置２と、洗い場床６０の浴槽１側のコーナーに設けた手摺り４の第２部分４２との位置関係は、実施形態１で説明したものと、壁面７２ａに向かって左右対称となっている。したがって実施形態１と同様に、ホース２２は、手摺り４の高さ位置において、洗い場床６０の浴槽１側のコーナーにおけるブラケット４６の側面４６ａの側方、かつ手摺り４の後方に位置させることができ、洗い場床６０の中央部方向への突出が抑制される。
【００４１】
次に、各実施形態および変形例の浴室ユニット１００の特徴を説明する。
本発明の実施形態および変形例に係る浴室ユニット１００は、浴槽１および洗い場床６０を囲む壁面７２ａに配設されるシャワー装置２と、壁面７２ａに沿って横方向に延びる手摺り４とを備える。シャワー装置２は、手摺り４の一端部の上方に掛け止められるシャワーヘッド２１、およびシャワーヘッド２１に接続されて垂下するホース２２を有する。浴室ユニット１００は、手摺り４の前記一端部から壁面７２ａへ延びており、ホース２２を手摺り４の他端部側と反対側に位置するように規制する規制部材としてのブラケット４６を備える。これにより、浴室ユニット１００は、シャワー装置２のホース２２の突出を抑制し、手摺り４の上方に設けられたシャワー装置２の使い勝手が良くなる。
【００４２】
また手摺り４は、前記一端部が壁面７２ａから離れるように湾曲している。これにより、浴室ユニット１００は、手摺り４の一端部がユーザに近い位置にあり掴み易い。
【００４３】
また規制部材は、手摺り４の前記一端部を支持する支持部材としてのブラケット４６である。これにより、浴室ユニット１００は、手摺り４の支持部材をシャワー装置２のホースの位置を規制する規制部材と兼用することができる。
【００４４】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００４５】
１  浴槽、  ２  シャワー装置、  ２１  シャワーヘッド、  ２２  ホース、
４  手摺り、  ４６  ブラケット（規制部材、支持部材）、
４７  ガード部材（規制部材）、  ６０  洗い場床、
７２ａ  壁面、  １００  浴室ユニット。
【図１】
2020031998.tif 000003
【図２】
2020031998.tif 000004
【図３】
2020031998.tif 000005
【図４】
2020031998.tif 000006
【図５】
2020031998.tif 000007
【図６】
2020031998.tif 000008
【図７】
2020031998.tif 000009
【図８】
2020031998.tif 000010
【図９】
2020031998.tif 000011
【図１０】
2020031998.tif 000012